(57)【特許請求の範囲】
【請求項１】
各種情報を表示するパネル状の表示部と、該表示部の表示内容を制御する制御部とを備え、壁面に沿って設置される表示装置の取付方法において、
前記表示部および前記制御部は、それぞれ分離した別ユニットとして構成され、
前記制御部は、前記壁面における設置箇所の裏側に取り付けられる一方、前記表示部は、前記設置箇所を間にして前記制御部と組み合わされる状態で、該設置箇所の表側に取り付けられ、
前記表示部の背面側には、前記制御部に仮止めするための仮止用ネジが止められており、前記制御部の正面側には前記仮止用ネジを仮止可能な仮止用ネジ孔が設けられており、
前記設置箇所には、予め所定規格の開口部が設けられており、
前記表示部は、その表示領域を含む正面側の形状ないし大きさが前記開口部に収まらない場合に、該開口部を表側より覆う状態に取り付けられ、
前記設置箇所を含む壁面の一区画は、表側より他の区画に対して開閉可能に設けられており、
前記一区画を開けた状態で、前記設置箇所の裏側より前記制御部を、前記開口部の周囲に固定し、
続いて前記一区画を閉じた状態で、前記設置箇所の表側より前記表示部を、前記開口部より覗く前記制御部に対して仮止めし、
再び前記一区画を開けた状態で、前記設置箇所の裏側より前記制御部を、仮止めしてある前記表示部に対して本止めして一体に組み合わせた後、前記一区画を閉じた状態に戻すことを特徴とする表示装置の取付方法。
【請求項２】
前記制御部のケースのうち、前記設置箇所に対向する正面側とは反対側の背面側に開閉可能なカバーが設けられており、
前記一区画を開けた状態で、前記制御部を前記表示部に本止めする際に、前記制御部のカバーを開けた状態で、その内部より前記表示部に対して本止めすることを特徴とする請求項１に記載の表示装置の取付方法。
【請求項３】
前記制御部のカバーは、下端縁がヒンジを介してケース本体の下端側に回動可能に連結され、上端側を前方に向けて開くことができ、
前記ヒンジは、前記カバーをケース本体に対して任意の回動角度に保持可能なトルクヒンジから成ることを特徴とする請求項２に記載の表示装置の取付方法。
【請求項４】
前記一区画を開けた状態で、前記制御部を前記表示部に本止めする際に、前記制御部および前記表示部を、互いに電気的にも接続することを特徴とする請求項２または３に記載の表示装置の取付方法。
【請求項５】
前記表示部にて前記開口部より覗く背面側と、前記制御部にて前記カバーの内面側とに、それぞれ電気的に接続するコネクタを設けることを特徴とする請求項４に記載の表示装置の取付方法。
【発明の詳細な説明】
【技術分野】
【０００１】
本発明は、各種情報を表示するパネル状の表示部と、該表示部の表示内容を制御する制御部とを備え、壁面に沿って設置される表示装置の取付方法に係り、特に、鉄道車両の客室における内壁面に設置されるものに関する。
【背景技術】
【０００２】
従来より、この種の表示装置としては、例えばＬＥＤ（発光ダイオード）により表示部が構成され、鉄道車両の客室内に設置されるものが知られている（例えば、特許文献１参照）。かかる表示装置は、ＬＥＤ表示部とその駆動制御部等が一つの筐体内部に収容されて、客室内でドアの上方の内壁に設けられた開口部に筐体が嵌め込まれるように取り付けられていた。
【０００３】
このようなＬＥＤタイプの表示装置には、急行や各駅停車等の列車の種類や行き先等の主に列車の運行に関する各種情報が表示されていたが、最近では、表示する情報量の増加に伴って、ＬＣＤ（液晶ディスプレイ）により大型の表示部が構成されたＬＣＤタイプの表示装置が増えつつある。従って、既存のＬＥＤタイプから新たにＬＣＤタイプの表示装置への交換が望まれる場合があった。
【先行技術文献】
【特許文献】
【０００４】
【特許文献１】特開２００２−２４４５８１号公報
【発明の概要】
【発明が解決しようとする課題】
【０００５】
しかしながら、従来の表示装置として、ＬＥＤタイプとＬＣＤタイプとでは、それぞれ表示素子自体の構成や大きさの相違により、各部品を筐体に組み込んだユニット全体の形状や大きさが全く異なる。そのため、既存のＬＥＤタイプから新たにＬＣＤタイプに交換する場合には、車両を改造しなければならず、元のＬＥＤタイプの設置箇所をそのまま利用してＬＣＤタイプを取り付けることは不可能であった。
【０００６】
また、車両を改造して新たな表示装置を取り付けるには、設置箇所で筐体を収める開口部を拡張する等の大掛かりな工事が必要となり、さらに、表示装置を取り付けるための固定具等も交換する必要があった。また、仮に改造したとしても、車両において内壁裏側の狭い車体側には、大型の表示装置を収容するためのスペースを確保することが困難であった。
【０００７】
本発明は、以上のような従来の技術の有する問題点に着目してなされたものであり、壁面に設置する表示装置が異なる規格であっても、同じ壁面の設置箇所を改造することなく容易に交換して取り付けることが可能であり、その施工コストを低減することができ、しかも、限られたスペース内に配置する自由度も大きくすることができる表示装置の取付方法を提供することを目的としている。
【課題を解決するための手段】
【０００８】
前述した目的を達成するための本発明の要旨とするところは、以下の各項の発明に存する。  
［１］各種情報を表示するパネル状の表示部（１１）と、該表示部（１１）の表示内容を制御する制御部（２１）とを備え、壁面（１）に沿って設置される表示装置（１０）の取付方法において、
前記表示部（１１）および前記制御部（２１）は、それぞれ分離した別ユニットとして構成され、
前記制御部（２１）は、前記壁面（１）における設置箇所（２）の裏側に取り付けられる一方、前記表示部（１１）は、前記設置箇所（２）を間にして前記制御部（２１）と組み合わされる状態で、該設置箇所（２）の表側に取り付けられ、
前記表示部（１１）の背面側には、前記制御部（２１）に仮止めするための仮止用ネジ（５１）が止められており、前記制御部（２１）の正面側には前記仮止用ネジ（５１）を仮止可能な仮止用ネジ孔（２５）が設けられており、
前記設置箇所（２）には、予め所定規格の開口部（３）が設けられており、
前記表示部（１１）は、その表示領域を含む正面側の形状ないし大きさが前記開口部（３）に収まらない場合に、該開口部（３）を表側より覆う状態に取り付けられ、
前記設置箇所（２）を含む壁面（１）の一区画（１ａ）は、表側より他の区画に対して開閉可能に設けられており、
前記一区画（１ａ）を開けた状態で、前記設置箇所（２）の裏側より前記制御部（２１）を、前記開口部（３）の周囲に固定し、
続いて前記一区画（１ａ）を閉じた状態で、前記設置箇所（２）の表側より前記表示部（１１）を、前記開口部（３）より覗く前記制御部（２１）に対して仮止めし、
再び前記一区画（１ａ）を開けた状態で、前記設置箇所（２）の裏側より前記制御部（２１）を、仮止めしてある前記表示部（１１）に対して本止めして一体に組み合わせた後、前記一区画（１ａ）を閉じた状態に戻すことを特徴とする表示装置（１０）の取付方法。
【００１２】
［２］前記制御部（２１）のケース（２２）のうち、前記設置箇所（２）に対向する正面側とは反対側の背面側に開閉可能なカバー（３０）が設けられており、
前記一区画（１ａ）を開けた状態で、前記制御部（２１）を前記表示部（１１）に本止めする際に、前記制御部（２１）のカバー（３０）を開けた状態で、その内部より前記表示部（１１）に対して本止めすることを特徴とする前記［１］に記載の表示装置（１０）の取付方法。
【００１３】
［３］前記制御部（２１）のカバー（３０）は、下端縁がヒンジ（３１）を介してケース本体（２３）の下端側に回動可能に連結され、上端側を前方に向けて開くことができ、
前記ヒンジ（３１）は、前記カバー（３０）をケース本体（２３）に対して任意の回動角度に保持可能なトルクヒンジ（３１）から成ることを特徴とする前記［２］に記載の表示装置（１０）の取付方法。
【００１４】
［４］前記一区画（１ａ）を開けた状態で、前記制御部（２１）を前記表示部（１１）に本止めする際に、前記制御部（２１）および前記表示部（１１）を、互いに電気的にも接続することを特徴とする前記［２］または［３］に記載の表示装置（１０）の取付方法。
【００１５】
［５］前記表示部（１１）にて前記開口部（３）より覗く背面側と、前記制御部（２１）にて前記カバー（３０）の内面側とに、それぞれ電気的に接続するコネクタ（１６，４４）を設けることを特徴とする前記［４］に記載の表示装置（１０）の取付方法。
【００１６】
次に、前述した解決手段に基づく作用を説明する。  
前記［１］に記載の表示装置（１０）では、各種情報を表示する表示部（１１）と、表示内容を制御する制御部（２１）とが、それぞれ分離した別ユニットとして構成される。これにより、各部を全て収納するような一つの筐体を備えることはなく、壁面（１）に対する各部の配置の自由度が増す。
【００１７】
すなわち、制御部（２１）は、壁面（１）における設置箇所（２）の裏側に取り付ける一方、表示部（１１）は、設置箇所（２）を間にして制御部（２１）と組み合わせるように、該設置箇所（２）の表側に取り付ける。これにより、既に設置箇所（２）に取り付けてある表示装置を、後から表示部（１１）の形状や大きさが異なる別の表示装置（１０）に交換するような場合に、壁面（１）を別の表示装置（１０）の規格に合わせて改造する必要はなく、容易に新たに取り付けることが可能となる。
また、前記表示部（１１）の背面側には、前記制御部（２１）に仮止めするための仮止用ネジ（５１）が止められており、前記制御部（２１）の正面側には前記仮止用ネジ（５１）を仮止可能な仮止用ネジ孔（２５）が設けられている。これにより、前記制御部（２１）の正面側に前記表示部（１１）の背面側を仮止めすることができる。
【００１８】
また、壁面（１）の設置箇所（２）には、予め所定規格の開口部（３）を設けておく。ここで壁面（１）は、例えば鉄道車両の客室における内壁面であり、開口部（３）は、例えば予め標準ユニット化した制御部（２１）に対応した形状ないし大きさに設計すると良い。表示部（１１）と異なり制御部（２１）は、その構成要素がほぼ共通しており、規格化することが容易である。
【００１９】
一方の表示部（１１）は、その正面側の形状ないし大きさを、前記開口部（３）に合致させる必要はない。表示部（１１）は、その表示領域を含む正面側の形状ないし大きさが前記開口部（３）に収まらない場合は、該開口部（３）を表側より覆う状態で、該開口部（３）を塞ぐように壁面（１）の表側にいわゆる丘付け（表面上に出っ張る取り付け）する。なお、表示部（１１）が前記開口部（３）に収まる場合には、従来のＬＥＤタイプの表示装置と同様に、該開口部（３）に少なくとも厚さ方向の一部が収納される状態に取り付けることもできる。
【００２１】
そして、前記設置箇所（２）を含む壁面（１）の一区画（１ａ）を、その表側より他の区画に対して開閉可能に設けておく。そして、この一区画（１ａ）を開けた状態で、設置箇所（２）の裏側より制御部（２１）を、開口部（３）の周囲に固定する。
【００２２】
続いて、前記一区画（１ａ）を閉じた状態で、設置箇所（２）の表側より表示部（１１）を、開口部（３）より覗く制御部（２１）に対して仮止めする。そして、再び前記一区画（１ａ）を開けた状態で、今度は設置箇所（２）の裏側より、制御部（２１）を仮止めしてある表示部（１１）に対して本止めして一体に組み合わせる。その後、前記一区画（１ａ）を閉じた状態に戻す。
【００２３】
これにより、表示部（１１）の表示領域を含む正面側には特に触れることなく、取付作業を行うことができる。すなわち、表示部（１１）の背面側より、前記開口部（３）を間にして対向する制御部（２１）を、簡易かつ容易に一体に組み合わせることが可能となる。
【００２４】
また、前記［２］に記載したように、前記制御部（２１）のケース（２２）のうち、設置箇所（２）に対向する正面側とは反対側の背面側に開閉可能なカバー（３０）を設けると良い。すなわち、前記一区画（１ａ）を開けた状態で、表示部（１１）を制御部（２１）に本止めする際に、制御部（２１）のカバー（３０）を開けて、その内部より表示部（１１）に対して本止めする。その後、カバー（３０）を閉じれば、取付用の固定具等が制御部（２１）の表面上に露出することを防ぐことができる。
【００２５】
前記制御部（２１）のカバー（３０）は、具体的には例えば前記［３］に記載したように、下端縁をヒンジ（３１）によりケース本体（２３）の下端側に回動可能に連結して、上端側を前方に向けて開くようにすれば良い。これにより、カバー（３０）自体の自重により開いた状態に保持することが可能となり、取付の作業効率を高めることができる。
ただし、カバー（３０）が自重で急に開いたり開き過ぎないように、前記ヒンジ（３１）は、カバー（３０）をケース本体（２３）に対して任意の回動角度に保持可能なトルクヒンジ（３１）とする。これにより、作業時の安全性も高まる。
【００２６】
また、前記［４］に記載したように、前記一区画（１ａ）を開けた状態で、制御部（２１）を表示部（１１）に本止めする際には、制御部（２１）および表示部（１１）を、互いに電気的にも接続する。
ここで例えば、前記［５］に記載したように、表示部（１１）にて開口部（３）より覗く背面側と、制御部（２１）にてカバー（３０）の内面側とに、それぞれ電気的に接続するコネクタ（１６，４４）を設けておけば、容易に両者を電気的に接続することができる。
【発明の効果】
【００２７】
本発明に係る表示装置の取付方法によれば、壁面に設置する表示装置が異なる規格であっても、同じ壁面の設置箇所の開口部等の大きさを一切改造することなく、既存の設置箇所をそのまま利用して新たな表示装置を容易に取り付けることが可能となり、その施工コストを低減することができる。
しかも、車両等における限られたスペース内に取り付ける場合でも、その配置の自由度を大きくすることができる。
【図面の簡単な説明】
【００２８】
【図１】本発明の実施の形態に係る表示装置を壁面に取り付ける状態を示す分解斜視図である。
【図２】本発明の実施の形態に係る表示装置を壁面に取り付けた状態を示す斜視図である。
【図３】本発明の実施の形態に係る表示装置を壁面に取り付けた状態を一部破断して示す縦断面図である。
【図４】本発明の実施の形態に係る表示装置を壁面に取り付けた状態を示す平面図である。
【図５】本発明の実施の形態に係る表示装置を示す正面図である。
【図６】本発明の実施の形態に係る表示装置を示す平面図である。
【図７】本発明の実施の形態に係る表示装置の表示部を示す正面図である。
【図８】本発明の実施の形態に係る表示装置の表示部を示す背面図である。
【図９】本発明の実施の形態に係る表示装置の表示部を示す側面図である。
【図１０】本発明の実施の形態に係る表示装置の表示部を示す平面図である。
【図１１】本発明の実施の形態に係る表示装置の制御部を示す正面図である。
【図１２】本発明の実施の形態に係る表示装置の制御部を示す背面図である。
【図１３】本発明の実施の形態に係る表示装置の制御部を示す平面図である。
【図１４】本発明の実施の形態に係る表示装置の制御部の背面カバーを開けた状態を示す背面図である。
【図１５】本発明の実施の形態に係る表示装置の制御部の背面カバーを開けた状態を示す側面図である。
【図１６】本発明の実施の形態に係る表示装置のうち制御部の取付作業を示す斜視図である。
【図１７】本発明の実施の形態に係る表示装置のうち表示部の仮止め作業を示す斜視図である。
【図１８】本発明の実施の形態に係る表示装置のうち表示部を背面側から見た斜視図である。
【図１９】本発明の実施の形態に係る表示装置のうち表示部の本止め作業を示す斜視図である。
【図２０】本発明の実施の形態に係る表示装置のうち表示部の本止め作業の詳細を示す一部斜視図である。
【図２１】本発明の実施の形態に係る表示装置のうち表示部の本止め作業の終了時の状態を示す斜視図である。
【図２２】本発明の実施の形態に係る表示装置を取り付けた鉄道車両の客室の内壁面を示す斜視図である。
【発明を実施するための形態】
【００２９】
以下、図面に基づき、本発明を代表する実施の形態を説明する。  
図１から図２２は、本発明の一実施の形態を示している。  
本実施の形態に係る表示装置１０は、各種情報を表示するパネル状の表示部１１と、該表示部１１の表示内容を制御する制御部２１とを備え、壁面に沿って設置されるものである。以下に、鉄道車両の客室における内壁面（壁面）１に沿って設置される場合を例に説明する。
【００３０】
図１に示すように、表示部１１および制御部２１は、それぞれ分離した別ユニットとして構成されている。制御部２１は、内壁面１における設置箇所２の裏側に取り付けられ、表示部１１は、設置箇所２を間にして制御部２１と組み合わされる状態で、該設置箇所２の表側に取り付けられる。
【００３１】
図２２に示すように、設置箇所２は、鉄道車両の客室のドア上方にあり、この設置箇所２を含む内壁面１の一区画１ａは、表側より他の区画に対して開閉可能に設けられている。一区画１ａは、一般にキセと称される化粧板（内壁面１）において、側壁から天井にかけて湾曲する矩形の部位であり、客室側から縦方向に開閉できるように、上端縁が横軸回りで回転可能に連結されている。
【００３２】
一区画１ａ内の設置箇所２には、所定規格の開口部３が予め設けられている。開口部３は、例えば標準ユニット化された制御部２１に対応した形状ないし大きさに設計されている。ここで制御部２１は、表示部１１の構成の相違に関わらず、一般的には共通する大きさとなるため、例えば従来の３色ＬＥＤタイプの表示装置の制御部をそのまま基準として設計すれば良い。
【００３３】
制御部２１に対して、表示部１１の形状ないし大きさは、従来のＬＥＤタイプか、本実施の形態で採用するＬＣＤタイプかの違いにより、大きく異なることが多い。ここで表示部１１の正面側の形状ないし大きさは、既存の開口部３に合致する必要はなく、開口部３に収まらない場合は、開口部３を表側より覆う状態で、いわゆる丘付けで取り付けられる。そして、表示部１１および制御部２１は、この開口部３を通じて互いに一体に組み合わされる。
【００３４】
図７から図１０に示すように、表示部１１は、ＬＣＤ（液晶ディスプレイ）から成る表示パネル１２と、該表示パネル１２を収納する表示部ケース１３とを備え、ユニットとして構成されている。表示パネル１２には、その背面側より補強する枠状のフレーム１４が取り付けられており、表示パネル１２は、フレーム１４を介して表示部ケース１３に一体に固定されている。
【００３５】
表示パネル１２は、正面視で両側方向に延びる長方形であり、前述したようにＬＣＤから構成され、その表面側に表示部ケース１３で縁取りされた表示画面を備えている。ここでＬＣＤ自体の構成は一般的であるので詳細な説明は省略するが、表示パネル１２の表示画面には、例えば、電車の停車駅や経路の案内情報、その他各種広告等の様々な各種情報がカラー表示される。
【００３６】
また、表示部１１の背面側には、その上端側に沿う左右方向の中央と両端に、それぞれ計３つ、制御部２１に仮止めするための仮止用ネジ５１（図１９参照）が予め止められている。各仮止用ネジ５１は、実際にはフレーム１４にあるネジ孔１５に止められている。また、表示パネル１２の背面側には、その中央より一端寄りの位置に、制御部２１からの表示制御ないし音声制御の信号を授受するコネクタ１６ａと、電源用配線のためのコネクタ１６ｂが配設されている。
【００３７】
表示部ケース１３は、前記表示パネル１２を収納する底浅な箱状に形成されており、その正面壁には、表示パネル１２の表示領域を縁取る開口部１３ａが形成され、背面側はそのまま大きく開口している。この表示部ケース１３の背面側開口より、前記フレーム１４を含む表示パネル１２の背面側は露出している。
【００３８】
表示部ケース１３の適所には、その内側の表示パネル１２（フレーム１４）に対する組み付け用のネジが締結されている。また、図７に示すように、表示部ケース１３の正面側の一端側には、次述する制御部２１に組み込まれたスピーカー４３の音を放出するスピーカ穴１７が穿設されている。さらに、図１０に示すように、表示部ケース１３の上面には、放熱用の数多の細溝が連設されている。
【００３９】
図１１から図１５に示すように、制御部２１は、規格化された制御部ケース２２の内部に、前記表示部１１を駆動するための制御基盤４１の他、電源部４２、それにスピーカー４３等が収納され、ユニットとして構成されている。制御部ケース２２は、設置箇所２に対接させる正面壁２４を含むケース本体２３と、このケース本体２３の背面側開口を覆う開閉可能な背面カバー３０とから成る。
【００４０】
制御部ケース２２は、全体的には両側方向に前記表示部１１よりも長く延びた長方形であり、関連部品を収納する底浅な箱状に形成されている。図１１に示すように、ケース本体２３の正面壁２４には、その上端側に沿う左右方向の中央とその両側の離れた箇所に、それぞれ計３つ、前記表示部１１を仮止めするための仮止用ネジ孔２５が設けられている。
【００４１】
ここで各仮止用ネジ孔２５は、前記表示部ケース１３側で各仮止用ネジ孔２５と対応する位置に固定された仮止用ネジ５１の頭部が挿通し得る大きさの大径孔と挿通不能な小径孔とが横に連なる形状である。この仮止用ネジ孔２５の大径孔から仮止用ネジ５１の頭部を入れて、仮止用ネジ５１の脚部を小径孔側にずらすように動かすことで仮止めが可能となる。
【００４２】
前記仮止用ネジ孔２５の小径孔にて、仮止用ネジ５１を締めきることで本止めとなるが、これとは別に各仮止用ネジ孔２５の斜め下方には、それぞれ計３つの通常のネジ孔２６も設けられている。各ネジ孔２６には、図１９に示すように、前記表示部１１を制御部２１に本止めするための本止用ネジ５２が後から止められる。なお、本止用ネジ５２と仮止用ネジ５１とは、実質的に同じ構造のネジである。
【００４３】
ケース本体２３の正面壁２４には、その中央より一端寄りの位置に、窓状に開口した矩形開口２７ａが設けられ、さらに一端側には、スピーカー取付用の円形開口２７ｂが設けられている。ここで矩形開口２７ａは、前記表示部１１側のコネクタ１６ａ，１６ｂに合致する位置に配されている。また、正面壁２４の表側には、前記設置箇所２の開口部３を囲むように長方形に並ぶクッション材２８が貼着されている。このクッション材２８は、正面壁２４を前記設置箇所２の裏側に対接させた際のガタつきを防ぐものである。
【００４４】
また、ケース本体２３の両端には、それぞれ側方に延びる取付ブラケット２９が設けられている。取付ブラケット２９は、制御部２１全体を設置箇所２の裏側にネジで固定するための部位であり、その側端縁に、ネジ止め用のＵ字形の切欠溝２９ａが上下一対に設けられている。切欠溝２９ａによれば、例えば片側だけネジで仮止めしておき、溝全長の範囲内で容易に位置調整ができ、また設計誤差も吸収することができる。
【００４５】
図１２に示すように、制御部ケース２２の背面側開口は、背面カバー３０によって覆われている。図１４、図１５に示すように、背面カバー３０は、その下端縁がヒンジ３１を介してケース本体２３の下端側に回動可能に連結され、上端側を前方に向けて開くことができる。ここでヒンジ３１は、その回転軸を中心に互いに回動可能な一対の袖片のうち、背面カバー３０の下端縁に固定した一方の袖片を、前記ケース本体２３側に固定した他方の袖片に対して任意の回動角度（例えば９０度等）に保持可能なトルクヒンジから成る。なお、トルクヒンジ自体の構成は一般的であるので詳細な説明は省略する。
【００４６】
図１４に示すように、制御基盤４１、電源部４２、スピーカー４３等の関連部品は、ケース本体２３の正面壁２４ではなく、背面カバー３０の内側にそれぞれ配設されている。これにより背面カバー３０全体の重量は増すが、前述したヒンジ３１によって安全に開閉することができる。また、背面カバー３０の両端部の内側には、それぞれネジ止め機能によって前記ケース本体２３側の取付ブラケット２９に対して着脱自在なパネルファスナ３２が設けられている。
【００４７】
また、背面カバー３０の上端側には、前記各パネルファスナ３２の間で左右一対に並ぶボールキャッチ３３が設けられている。ボールキャッチ３３は、係合突起３３ａと、前記正面壁２４の内側で係合突起３３ａと対応する箇所に設けられ、係合突起３３ａが押圧により弾発的に着脱自在な受け具３３ｂから成る。背面カバー３０は両側方向に長いため、その両端がパネルファスナ３２で止められただけでは、中央側がガタつく虞があるので、一対のボールキャッチ３３によってガタつきを防止している。
【００４８】
背面カバー３０の内側に配設された関連部品のうち、制御基盤４１は、前記表示部１１の表示パネル１２における表示内容やスピーカー４３から音声出力を制御するものである。かかる制御基盤４１は、通常のＣＰＵ、ＲＡＭ、ＲＯＭ、インターフェース等から構成されたマイクロコンピュータから構成されている。
【００４９】
図２０に示すように、制御基盤４１の一端側には、表示制御ないし音声制御の信号を出力するコネクタ４４ａと、電源部４２からの電力を制御部２１側に供給するためのコネクタ４４ｂが設けられている。コネクタ４４ａは、前記表示部１１にて開口部３より覗くコネクタ１６ａに配線コードを介して接続され、またコネクタ４４ｂは、同じく前記開口部３より覗くコネクタ１６ｂに配線コードを介して接続される。なお、図示省略したが制御部２１は、車体側に対して各種配線コードを介して電気的に接続されている。
【００５０】
次に、本実施の形態に係る表示装置１０の具体的な取付けについて説明する。  
図１に示すように、鉄道車両用の表示装置１０は、各種情報を表示する表示部１１と、表示内容を制御する制御部２１とを、それぞれ分離した別ユニットとして構成する。これにより、従来の表示装置のように各部を全て収納するような一つの筐体を備えることはなく、内壁面１に対する各部の配置の自由度が増し、設置スペースが乏しい鉄道車両の客室においても最適なレイアウトで取り付けることが可能となる。
【００５１】
すなわち、先ず制御部２１は、内壁面１における設置箇所２の裏側に取り付ける。次に表示部１１は、設置箇所２を間にして制御部２１と組み合わせるように、該設置箇所２の表側に取り付ける。これにより、既に設置箇所２に取り付けてある従来のＬＥＤタイプの表示装置を、後から表示部１１の形状や大きさが異なるＬＣＤタイプの表示装置１０に交換するような場合に、内壁面１を表示装置１０の規格に合わせて改造する必要はなく、容易に取り付けることができる。
【００５２】
詳しく言えば、車両の内壁面１における設置箇所２には、所定規格の開口部３が設けられている。ここで開口部３は、予め標準ユニット化された制御部２１に対応した形状ないし大きさに設計されているが、前述したように制御部２１は、表示部１１の構成の相違に関わらず、一般的には共通する大きさとなるため、従来のＬＥＤタイプの表示装置の制御部を基準として設計したもので足りる。
【００５３】
一方の表示部１１はＬＣＤだと、従来のＬＥＤタイプに比べてかなり大型となるが、表示部１１の正面側の形状ないし大きさは、必ずしも開口部３に合致させる必要はない。表示部１１が開口部３に収まらない場合は、図２に示すように、開口部３を表側より覆う状態で、該開口部３を塞ぐように内壁面１の表側にいわゆる丘付け（表面上に出っ張る取り付け）する。なお、表示部１１が既存の開口部３に収まる場合には、従来のＬＥＤタイプの表示装置と同様に、該開口部３に少なくとも厚さ方向の一部が収納される状態に取り付けても良い。
【００５４】
そして、図３，図４に示すように、表示部１１および制御部２１は、開口部３を通じて互いに一体に組み合わされる。詳しくは後述するが、このような表示装置１０の取付構造の前提として、図２２において、前記設置箇所２を含む内壁面１の一区画１ａは、その表側より他の区画に対して開閉可能となっている。すなわち、内壁面１の一区画１ａは、縦方向に開閉可能に上端縁が横軸回りで回動可能に連結されており、設置箇所２の裏側で作業を行う際は、一区画１ａの下端を客室中央寄りに跳ね上げておく。なお、このような開閉形態によれば、乗客が誤って一区画１ａを開けることは困難となる。
【００５５】
表示装置１０を設置する場合、先ず一区画１ａを跳ね上げるように開けた状態で、図１６に示すように、制御部２１を、設置箇所２の裏側より開口部３の周囲に固定する。このとき、一区画１ａは設置箇所２が略水平な状態に保たれ、制御部ケース２２のケース本体２３にある両端の取付ブラケット２９を設置箇所２の裏側にネジで固定する。ここで取付ブラケット２９には、前述したようにＵ字形の切欠溝２９ａがあるため、その溝全長の範囲内で容易に位置調整ができ、また設計ないし取付時の誤差も吸収することができる。
【００５６】
続いて、一区画１ａを閉じた元の状態に戻してから、図１７に示すように、設置箇所２の表側より表示部１１を、開口部３より覗く制御部２１に対して仮止めする。図１８に示すように、表示部１１の背面側に表れたフレーム１４の上端側のネジ孔１５（図８参照）には、予め３つの仮止用ネジ５１が固定されており、表示部１１の背面側を設置箇所２に合わせつつ、各仮止用ネジ５１を、開口部３より覗く制御部２１にある各仮止用ネジ孔２５に引っ掛ける。詳しくは、仮止用ネジ５１の頭部を、仮止用ネジ孔２５の大径孔から挿入し、仮止用ネジ５１の脚部を、大径孔から小径孔まで側方へスライドさせることで仮止めすることができる。
【００５７】
そして、再び一区画１ａを跳ね上げて開けた状態とし、設置箇所２の裏側より制御部２１を、仮止めしてある表示部１１に対して本止めして一体に組み合わせる。すなわち、図１９に示すように、制御部ケース２２の背面カバー３０を開き、前述した各仮止用ネジ５１を、それぞれ仮止用ネジ孔２５の小径孔にて締めきって本止めする他、制御部２１の通常のネジ孔２６に貫通させた本止用ネジ５２も、それぞれ対応する表示部１１側のネジ孔１５に固定する。
【００５８】
これにより、表示部１１は、制御部２１に対して計６本のネジ５１，５２で確実かつ強固に固定され、表示部１１の本止めは完了する。また、背面カバー３０を開けた状態のままで、図２１に示すように、表示部１１の背面側にあるコネクタ１６ａ、１６ｂを、それぞれ制御部２１側の制御基盤４１にあるコネクタ４４ａ、４４ｂに配線コードを介して接続する。なお、コネクタ１６ａ、１６ｂは、ケース本体２３の正面壁２４にある矩形開口２７ａより表出する。このように、制御部２１を表示部１１に本止めする際に、制御部２１と表示部１１とを電気的にも接続する。
【００５９】
その後、図２１に示すように、背面カバー３０を、制御部ケース２２の背面側開口を覆う元の状態に閉じる。このように、制御部ケース２２の背面カバー３０は開閉可能であり、表示部１１を制御部２１に本止めする際に、背面カバー３０を開けた状態で、その内部より表示部１１に対して本止めすることができ、取付用の固定具等が制御部２１の表面上に露出することを防ぐことができる。
【００６０】
特に、背面カバー３０は、その下端縁がヒンジ３１を介してケース本体２３の下端側に回動可能に連結され、上端側を前方に向けて開く構造であるため、背面カバー３０自体の自重により開いた状態に保持することができ、作業効率を高めることができる。また、ヒンジ３１は、背面カバー３０を任意の回動角度に保持可能なトルクヒンジであるため、背面カバー３０に制御基盤４１等を配設したことで重量が増しても、背面カバー３０が急に開いたり開き過ぎることはなく、作業時の安全性も高まる。
【００６１】
そして、最後に図２に示すように、前記一区画１ａを閉じた状態に戻す。これにより、内壁面１に対する表示装置１０の取付作業は全て完了する。このような表示装置１０の取付構造によれば、表示部１１の表示領域を含む正面側に何ら触れることなく、その背面側より開口部３を間にして制御部２１に表示部１１を一体に組み付けることが可能となる。また、組み付けの作業も簡単であり、１人で容易に行うことができる。
【００６２】
以上、本発明の実施の形態を図面によって説明してきたが、具体的な構成は前述したような実施の形態に限られるものではなく、本発明の要旨を逸脱しない範囲における変更や追加があっても本発明に含まれる。例えば、表示部１１の表示パネル１２は、ＬＣＤ（液晶ディスプレイ）以外でも各種画像を表示可能なものであれば良く、他に有機ＥＬディスプレイ等を採用して構成しても良い。
【００６３】
また、前記実施の形態では、表示装置１０の用途の一例として、鉄道車両の客室に設置するものについて説明したが、鉄道車両に限ることなく船舶や航空機等の他の様々な乗物の客室用の表示装置としても良い。もちろん、乗物の乗客向けの表示装置ではなく、店舗やエレベーター等の様々な表示用のディスプレイに適用しても良い。
【産業上の利用可能性】
【００６４】
本発明に係る表示装置とその取付構造は、鉄道車両の客室内に限られることなく、他の様々な壁面に設置するものとして幅広く適用することができる。
【符号の説明】
【００６５】
１…内壁面
１ａ…一区画
２…設置箇所
３…開口部
１０…表示装置
１１…表示部
１２…表示パネル
１３…表示部ケース
１４…フレーム
１５…ネジ孔
１６…コネクタ
２１…制御部
２２…制御部ケース
２３…ケース本体
２４…正面壁
２５…仮止用ネジ孔
２６…ネジ孔
２９…取付ブラケット
３０…背面カバー
３１…ヒンジ
３２…パネルファスナ
３３…ボールキャッチ
４１…制御基盤
４２…電源部
４３…スピーカー
４４…コネクタ
５１…仮止用ネジ
５２…本止用ネジ
【図１】
0006609103.tif 000002
【図２】
0006609103.tif 000003
【図３】
0006609103.tif 000004
【図４】
0006609103.tif 000005
【図５】
0006609103.tif 000006
【図６】
0006609103.tif 000007
【図７】
0006609103.tif 000008
【図８】
0006609103.tif 000009
【図９】
0006609103.tif 000010
【図１０】
0006609103.tif 000011
【図１１】
0006609103.tif 000012
【図１２】
0006609103.tif 000013
【図１３】
0006609103.tif 000014
【図１４】
0006609103.tif 000015
【図１５】
0006609103.tif 000016
【図１６】
0006609103.tif 000017
【図１７】
0006609103.tif 000018
【図１８】
0006609103.tif 000019
【図１９】
0006609103.tif 000020
【図２０】
0006609103.tif 000021
【図２１】
0006609103.tif 000022
【図２２】
0006609103.tif 000023